(57)【特許請求の範囲】
【請求項１】
電極端子接続用のコネクターにおいて、
雄コネクターおよび雌コネクターを有し、
前記雌コネクターは、前記雄コネクターが嵌合する嵌合空間を有し、
前記嵌合空間は、
前記雄コネクターを前記嵌合空間内に挿入させる挿入空間と、
前記雄コネクターを前記挿入空間に挿入させる挿入方向に対して交差する方向に、前記挿入空間内に挿入された前記雄コネクターの移動を許容する移動許容空間と、
を有し、
前記雌コネクターと前記雄コネクターとは、前記雄コネクターが前記移動許容空間に移動された状態で、前記雄コネクターの前記挿入方向と反対方向への移動に対して互いに当接する当接部を有し、
前記雌コネクターには、前記雌コネクターの外側から前記嵌合空間内に基板を配置させることができる開口部が形成され、
前記雄コネクターには、前記雄コネクターが前記嵌合空間内に配置されたときに前記基板が挿入される基板挿入凹部が形成され、
前記基板挿入凹部には、前記雄コネクターが前記雌コネクターと前記当接部で当接する位置に配置された状態で、前記基板に設けられる電極端子に接続する電極端子が設けられている、
ことを特徴とするコネクター。
【請求項２】
請求項１に記載のコネクターにおいて、
前記挿入空間内に挿入された前記雄コネクターを前記移動許容空間に向けて付勢する付勢手段を備える、
ことを特徴とするコネクター。
【請求項３】
請求項１または２に記載のコネクターにおいて、
前記雄コネクターに設けられる前記当接部および前記雌コネクターに設けられる前記当接部は、前記挿入空間に挿入された状態の前記雄コネクターに対して、前記雄コネクターが前記挿入空間から前記移動許容空間に移動される側に配置されている、
ことを特徴とするコネクター。
【請求項４】
請求項１から３のいずれか１項に記載のコネクターにおいて、
前記雌コネクターは、電気機器の筐体と一体成型にて形成されている、
ことを特徴とするコネクター。
【請求項５】
雄コネクターおよび雌コネクターを有し、
前記雌コネクターは、前記雄コネクターが嵌合する嵌合空間を有し、
前記嵌合空間は、
前記雄コネクターを前記嵌合空間内に挿入させる挿入空間と、
前記雄コネクターを前記挿入空間に挿入させる挿入方向に対して交差する方向に、前記挿入空間内に挿入された前記雄コネクターの移動を許容する移動許容空間と、
を有し、
前記雌コネクターと前記雄コネクターとは、前記雄コネクターが前記移動許容空間に移動された状態で、前記雄コネクターの前記挿入方向と反対方向への移動に対して互いに当接する当接部を有するコネクターの前記雌コネクターを有する電気機器であって、
前記電気機器の筐体を収納する電気機器筐体収納カバーを有し、
前記電気機器筐体収納カバーは、
前記雌コネクターに前記雄コネクターを接続させた状態の前記筐体が収納された状態で、
前記電気機器筐体収納カバーの側壁のうち、前記雌コネクターの前記挿入空間の開口部が配置される前記筐体の側面に重なる側壁に、
前記開口部側に突出する突出部と、
前記雄コネクターに接続されるリード線を通すリード線通過部と、
を有することを特徴とする電気機器。
【発明の詳細な説明】
【技術分野】
【０００１】
本発明は、コネクターおよび電気機器に関する。
【背景技術】
【０００２】
従来、テストリードと計測器との接続は、特許文献１に示すように、テストリード側に備えられるピンを計測器側に設けられるジャックに挿入することにより行われている。また、特許文献２に示すように、テストリードのリード線を計測器の電極端子に半田付等により直接固定することにより、テストリードを計測器に接続する構成のものもある。
【先行技術文献】
【特許文献】
【０００３】
【特許文献１】特開平５−６０７９７号公報
【特許文献２】特開平１０−２３９３５０号公報
【発明の概要】
【発明が解決しようとする課題】
【０００４】
ピンをジャックに挿入する構成の場合は、リード線が引っ張られた際に、ジャックからピンが外れて（抜けて）しまう虞がある。一方、リード線を電極端子に直接固定する構成の場合は、テストリードと計測器との接続は強固なものとなるが、テストリードに断線等の破損が生じた場合に、計測器を含めた交換を余儀なくされることがある。そこで、本発明は、リード線を電気機器から取り外し可能としながら、かつ、リード線を電気機器に外れ難くい状態で接続できるコネクターを提供することを目的とする。
【課題を解決するための手段】
【０００５】
上記課題を解決するために、電極端子接続用のコネクターにおいて、雄コネクターおよび雌コネクターを有し、雌コネクターは、雄コネクターが嵌合する嵌合空間を有し、嵌合空間は、雄コネクターを嵌合空間内に挿入させる挿入空間と、雄コネクターを挿入空間に挿入される挿入方向に対して交差する方向に、挿入空間内に挿入された雄コネクターの移動を許容する移動許容空間とを有し、雌コネクターと雄コネクターとは、雄コネクターが移動許容空間に移動された状態で、雄コネクターの挿入方向と反対方向への移動に対して互いに当接する当接部を有することとする。
【０００６】
また、上記発明に加えて、雌コネクターには、雌コネクターの外側から嵌合空間内に基板を配置させることができる開口部が形成され、雄コネクターには、雄コネクターが嵌合空間内に配置されたときに基板が挿入される基板挿入凹部が形成され、基板挿入凹部には、雄コネクターが雌コネクターと当接部で当接する位置に配置された状態で、基板に設けられる電極端子に接続する電極端子が設けられていることとする。
【００１１】
また、上記発明に加えて、雄コネクターに設けられる当接部および雌コネクターに設けられる当接部は、挿入空間に挿入された状態の雄コネクターに対して、雄コネクターが挿入空間から移動許容空間に移動される側に配置されていることとする。
【００１２】
また、上記発明に加えて、雌コネクターは、電気機器の筐体と一体成型にて形成されていることとする。
【００１３】
また、上記発明に加えて、挿入空間内に挿入された雄コネクターを移動許容空間に向けて付勢する付勢手段を備えることとする。
【００１４】
上記課題を解決するために、電気機器に上述の雌コネクターを備えることとする。
【００１５】
また、上記発明に加えて、上述の電気機器は、電気機器の筐体を収納する電気機器筐体収納カバーを有し、この電気機器筐体収納カバーは、上述の雌コネクターに雄コネクターを接続させた状態の筐体が収納された状態で、電気機器筐体収納カバーの側壁のうち、雌コネクターの挿入空間の開口部が配置される筐体の側面に重なる側壁に、開口部側に突出する突出部と、雄コネクターに接続されるリード線を通すリード線通過部とを有することとする。
【発明の効果】
【００１６】
本発明によれば、リード線を電気機器から取り外し可能としながら、かつ、リード線を電気機器に外れ難くい状態で接続できるコネクターを提供することができる。
【図面の簡単な説明】
【００１７】
【図１】本発明の第１の実施の形態に係るコネクターを電気機器の一例である電気計測器に用いた例を示す図である。
【図２】本発明の第１の実施の形態に係るコネクターを斜め後方から観た斜視図である。
【図３】第１の実施の形態に係るコネクターの雄コネクターを斜め前方から観た斜視図である。
【図４】図１に示すコネクターの接続の手順を示す図である。
【図５】下側部材と上側部材との２部材で構成する雌コネクターを示す図である。
【図６】下側部材および上側部材を電気計測器の筐体に一体に形成した構成を示す図である。
【図７】雌端子にピン端子の側面が嵌合する溝部を形成した構成を示す図である。
【図８】本発明の第２の実施の形態に係るコネクターの構成を示す図である。
【図９】本発明の第３の実施の形態に係るコネクターの構成を示す図である。
【図１０】図９に示す第３の実施の形態に係るコネクターの雌コネクターを、下側部材と上側部材との２部材とした構成を示す図である。
【図１１】本発明の第４の実施の形態に係るコネクターの構成を示す図である。
【図１２】本発明の第５の実施の形態に係るコネクターの構成を示す図である。
【図１３】本発明の第６の実施の形態に係るコネクターの構成を示す図である。
【図１４】電気計測器を電気機器筐体収納カバーに収納した状態を示す平面図である。
【図１５】電気機器筐体収納カバーの構成を示す図である。
【発明を実施するための形態】
【００１８】
以下、本発明の実施の形態に係るコネクター１について、図面を参照しながら説明する。図１は、コネクター１を電気機器の一例である電気計測器１００に用いた例を示している。コネクター１は、雌コネクター２と雄コネクター３とを有する。なお、以下の説明において、雄コネクター３を雌コネクター２に向けて挿入する方向である矢示Ｘ１の方向を前方（前側）、その反対方向である矢示Ｘ２の方向を後方（後側）として説明する。また、後方から前方に向かって左手方向である矢示Ｙ１の方向を左方（左側）、右手方向である矢示Ｙ２の方向を右方（右側）として説明する。そして、矢示Ｚ１の方向を上方（上側）、矢示Ｚ２の方向を下方（下側）として説明する。
【００１９】
雌コネクター２は、電気計測器１００に備えられている。雌コネクター２に備えられる電極端子（たとえば、後述するピン端子７）は、電気計測器１００に対して電気的に接続されている。雄コネクター３には、リード線としてのテストリード２００が接続されている。テストリード２００には、プローブ２０１が備えられている。
【００２０】
図１の左欄（Ａ）は、雄コネクター３を雌コネクター２に接続する前の状態を示している。図１の中欄（Ｂ）は、雄コネクター３を、雌コネクター２に設けられる後述の挿入空間８に挿入した状態を示す図である。図１の右欄（Ｃ）は、雄コネクター３を挿入空間８に挿入した後、さらに、後述の移動許容空間９に移動させた状態を示す図である。雄コネクター３が、移動許容空間９に移動された状態で、雌コネクター２に設けられる後述の当接部６と、雄コネクター３に設けられる後述の当接部１３とが互いに当接する。当接部６と当接部１３とが当接することで、雄コネクター３が雌コネクター２から抜けることを防止される。
【００２１】
（第１の実施の形態）
図２は、本発明の第１の実施の形態に係るコネクター１を斜め後方から観た斜視図である。図３は、雄コネクター３を斜め前方から観た斜視図である。図２に示すように、コネクター１は、雌コネクター２と雄コネクター３とを有し、雌コネクター２と雄コネクター３とは互いに嵌合可能な形状に形成されている。
【００２２】
（雌コネクター２）
雌コネクター２は、外殻部４と、この外殻部４の内側に形成される嵌合空間５と、当接部６と、雄端子としてのピン端子７とを有する。外殻部４は、全体として直方体を呈し、たとえば、ＰＢＴ（ポリブチレンテレフタレート樹脂）等の絶縁性のある材料にて形成されている。嵌合空間５は、内部に雄コネクター３を嵌合できる形状であり、挿入空間８と、移動許容空間９とを有する。嵌合空間５は、後方に開口部１０が形成され、前方は壁部１１により閉塞されている。つまり、嵌合空間５は、外殻部４の後面４Ａに開口部１０を有する前方に凹む凹部である。ピン端子７は、壁部１１を貫通し、長手方向を雄コネクター３の挿入方向に沿わせて配置されている。ピン端子７の前端部は、電気計測器１００に対して電気的に接続され、ピン端子７の後端側は、嵌合空間５内に突出している。
【００２３】
（雄コネクター３）
雄コネクター３は、本体部１２と、当接部１３と、雄端子挿入孔としてのピン端子挿入孔１４と、雌端子１５とを有する。当接部１３は、本体部１２の上面１２Ａの左側の前側に配置される。当接部１３の後面１３Ａは、上面１２Ａから上方に突出する段面となっている。当接部１３は、本体部１２に一体に設けられ、本体部１２におよび当接部１３は、外殻部４と同様にＰＢＴ等の絶縁性のある材料にて形成されている。
【００２４】
雌端子１５は、ピン端子挿入孔１４の内部に配置され、テストリード２００に電気的に接続されている。ピン端子挿入孔１４は、雄コネクター３の前面３Ａに形成され、ピン端子７を挿入可能である。ピン端子７が、ピン端子挿入孔１４に挿入された状態で、ピン端子７と雌端子１５とは電気的に接続された状態となる。
【００２５】
挿入空間８は、雄コネクター３を後方から前方に向かって挿入させることができる形状に形成されている。挿入空間８は、本体部１２が嵌合する挿入空間８Ａと当接部１３が嵌合する挿入空間８Ｂとを有する。挿入空間８Ｂは、挿入空間８Ａの左側の上方に配置されている。
【００２６】
挿入空間８の左側には、挿入空間８Ａと連続する移動許容空間９が設けられている。移動許容空間９は、本体部１２の左側の一部が嵌合する嵌合部９Ａと、当接部１３が嵌合する嵌合部９Ｂとを有する。嵌合部９Ａの上方であり、嵌合部９Ｂの後方となる部分に当接部６が形成されている。当接部６の前面６Ａは、嵌合部９Ｂの後側の内側面となっている。
【００２７】
（雌コネクター２と雄コネクター３との接続）
図４を参照しながら雌コネクター２と雄コネクター３との接続について説明する。図４の上段（Ａ）は、雌コネクター２と雄コネクター３とを接続する前の状態を示す。図４（Ａ）に示すコネクター１の状態は、図１（Ａ）に示すコネクター１の状態に対応する。
【００２８】
図４の中段（Ｂ１）は、雄コネクター３を雌コネクター２の挿入空間８に挿入した状態を示す。また、図４の中段（Ｂ２）は、雄コネクター３が図４（Ｂ１）に示すように挿入空間８に挿入された状態のときのピン端子７のピン端子挿入孔１４への挿入状態を示す図である。図４（Ｂ１）（Ｂ２）に示すコネクター１の状態は、図１（Ｂ）に示すコネクター１の状態に対応する。
【００２９】
図４の下段（Ｃ１）は、雄コネクター３を挿入空間８に挿入した状態（図４（Ｂ１）に示す状態）から移動許容空間９に移動した状態を示す。すなわち、図４（Ｃ１）に示す状態は、雌コネクター２と雄コネクター３とが接続された状態である。また、図４の下段（Ｃ２）は、雄コネクター３が図４（Ｃ１）に示すように移動許容空間９に移動された状態のときのピン端子７のピン端子挿入孔１４への挿入状態を示す図である。図４（Ｃ１）（Ｃ２）に示すコネクター１の状態は、図１（Ｃ）に示すコネクター１の状態に対応する。
【００３０】
図４（Ａ）から図４（Ｂ１）に示すように、雄コネクター３の本体部１２および当接部１３が、挿入空間８Ａおよび挿入空間８Ｂに嵌まるように、雄コネクター３を挿入空間８に挿入する。このとき、図４（Ｂ２）に示すように、ピン端子７は、ピン端子挿入孔１４の左端に挿入される。
【００３１】
当接部１３が嵌合部９Ｂ（図２参照）の右側に配置されるまで雄コネクター３を挿入空間８に挿入させた状態から、図４（Ｃ１）に示すように、雄コネクター３を左側、すなわち移動許容空間９に移動し、当接部１３を嵌合部９Ｂ内に嵌合させる。このとき、図４（Ｃ２）に示すように、ピン端子７は、ピン端子挿入孔１４の右端に挿入された状態となる。ピン端子７がピン端子挿入孔１４に挿入された状態で、雄コネクター３が挿入空間８から移動許容空間９に移動できるように、ピン端子挿入孔１４は、雄コネクター３の挿入空間８から移動許容空間９への移動方向に沿って長い（左右方向に長い）長孔に形成されている。
【００３２】
図４（Ｃ１）に示すように、雄コネクター３が移動許容空間９に移動し、当接部１３が嵌合部９Ｂ（図２参照）内に嵌合した状態で、当接部１３の後面１３Ａと当接部６の前面６Ａ（図２参照）とが対向する。したがって、雄コネクター３が後方へ引っ張られても、当接部１３と当接部６とが当接するため、雄コネクター３が嵌合空間５から抜けてしまうことを防止できる。一方、雄コネクター３を挿入空間８Ａ側（右側）に移動し、当接部１３を当接部６と当接しない位置に移動した状態で、雄コネクター３を後方に移動すれば、雄コネクター３を雌コネクター２から取り外すことができる。つまり、コネクター１は、雄コネクター３を雌コネクター２から取り外し可能としながら、かつ、雄コネクター３が雌コネクター２から外れ難くいコネクターとなっている。
【００３３】
なお、以下の説明において、雄コネクター３が移動許容空間９に移動し、当接部１３と当接部６とが当接し、雄コネクター３の後方への抜き取りが阻止されている雄コネクター３の位置をロック位置と記載する。
【００３４】
ピン端子挿入孔１４内に備えられる雌端子１５は、ピン端子挿入孔１４の長さ方向（左右方向）の長さが、ピン端子７の直径以上に長い板状体を呈している。雌端子１５は、雄コネクター３がロック位置に配置されている状態で、ピン端子７と接触できる範囲に設けられていれば足りる。しかしながら、雄コネクター３がロック位置から右方、すなわち挿入空間８側に移動した状態であってもピン端子７との接触状態が保たれ易くなるように、雌端子１５は、ピン端子挿入孔１４の長さ方向にピン端子７の直径以上の長さ（幅）を有することが好ましい。
【００３５】
なお、雌コネクター２は、図５に示すように、挿入空間８Ａおよび嵌合部９Ａが形成される下側部材２Ａと、挿入空間８Ｂおよび嵌合部９Ｂが形成される上側部材２Ｂとの２部材から構成してもよい。下側部材２Ａの壁部１１には、ピン端子７を貫通させるピン端子挿通孔１１Ａが形成される。雌コネクター２を下側部材２Ａと上側部材２Ｂとの２部材で構成することで、雌コネクター２は金型成形され易くなる。そのため、雌コネクター２の製造が容易になる。
【００３６】
また、図６に示すように、下側部材２Ａおよび上側部材２Ｂを電気計測器１００の筐体１０１に一体に形成してもよい。下側部材２Ａは、筐体１０１の下側筐体１０１Ａと一体成型にて形成し、上側部材２Ｂは、筐体１０１の上側筐体１０１Ｂと一体成型にて形成する。
【００３７】
（溝部１６）
図７に示すように雌端子１５にピン端子７の側面が嵌合する溝部１６を形成してもよい。溝部１６は、溝の長手方向を前後方向に配置する溝である。また、溝部１６は、左右方向（雄コネクター３を挿入空間８から移動許容空間９に移動する方向）に沿って複数配列されている。雄コネクター３がロック位置に配置されたときに、ピン端子７は溝部１６に嵌合することができる。ピン端子７が溝部１６に嵌合しているため、雄コネクター３を挿入空間８側（右側）に移動し難くすることができる。
【００３８】
溝部１６は、図７に示すように複数設けても良いし、雄コネクター３がロック位置に配置されたときに、ピン端子７が嵌合できる位置に一か所設ける構成としてもよい。しかしながら、溝部１６を複数設けることで、仮に、雄コネクター３が意図せず挿入空間８側（右側）に移動してしまった場合であっても、ピン端子７と雌端子１５との接続を維持させ易い。
【００３９】
また、雌端子１５に溝部１６が形成されることで、溝部１６に嵌合するピン端子７との接触面積が増える。図７に示す溝部１６は、断面形状において円弧面であり、また、ピン端子７も円柱体を呈している。このように溝部１６およびピン端子７を形成することで、雌端子１５が単なる板状である場合に比べて、溝部１６の側面とピン端子７の側面とが面接触し易くなり、互いの接触面積を増やすことができる。
【００４０】
また、溝部１６を円弧面とし、また、ピン端子７を円柱体とすることで、雄コネクター３を左右方向に移動する際の負荷を低減させることができる。なお、溝部１６は、図７に示すように上下の雌端子１５に形成してもよいし、上下何れか一方の雌端子１５に形成することとしてもよい。
【００４１】
雄コネクター３を挿入空間８から移動許容空間９に移動させる際、および雄コネクター３を移動許容空間９から挿入空間８に移動する際には、隣り合う溝部１６との間の稜部１７がピン端子７を乗り越える必要がある。そのため、雄コネクター３を左右へ移動する際には負荷が生じる。したがって、溝部１６の深さおよび形状等は、溝部１６をピン端子７に嵌合させた雄コネクター３を左右に移動可能としながら、かつ、電気計測器１００の取扱者が意識的に雄コネクター３を左右に移動させない限り移動しない程度の抵抗（負荷）をピン端子７と雌端子１５との間に生じさせるように設定する。
【００４２】
（第２の実施の形態）
図８を参照しながら、本発明の第２の実施の形態に係るコネクター２０の構成について説明する。上述の第１の実施の形態に係るコネクター１と同様な構成部分については同一の符号を付し、その説明を省略または簡略化する。図８の上段（Ａ）は、コネクター２０の雌側のコネクターである雌コネクター２１を、下側部材２１Ａと上側部材２１Ｂとに分割した状態を、斜め後方から観た斜視図である。図８の下段（Ｂ）は、コネクター２０の雄側のコネクターである雄コネクター２２を斜め前方から観た斜視図である。
【００４３】
第１の実施の形態に係るコネクター１は、雌コネクター２内にピン端子７を突出させ、ピン端子７を雄コネクター３に設けられるピン端子挿入孔１４内に挿入することで、雌コネクター２と雄コネクター３との電気的接続が行われる。これに対し、コネクター２０は、電気計測器１００の基板１０２に設けられる電極端子１０３を、基板１０２と共に移動許容空間９内に配置する構成としている。
雌コネクター２１には、雌コネクター２１の外側となる基板１０２の側から移動許容空間９内に基板１０２を配置させることができる開口部２３が形成されている。
【００４４】
そして、雄コネクター２２には、雄コネクター２２が嵌合空間８内に配置されたときに基板１０２が挿入される基板挿入凹部２４が形成されている。基板挿入凹部２４は、雄コネクター２２の前面２２Ａから後方に向けて凹む凹部である。基板挿入凹部２４には、電極端子２５が備えられている。電極端子１０３および電極端子２５は、雄コネクター２２がロック位置に配置されたときに互いに接続できる位置に配置されている。
【００４５】
（雌コネクター２と雄コネクター３との接続）
コネクター２０における雌コネクター２１と雄コネクター２２との接続は、図４を参照して説明したコネクター１と同様である。つまり、先ず、雄コネクター２２の本体部１２および当接部１３が、挿入空間８Ａおよび挿入空間８Ｂに嵌まるように、雄コネクター２２を挿入空間８に挿入する。このとき、基板挿入凹部２４内に基板１０２が挿入される。そして、当接部１３が嵌合部９Ｂの右側に配置される位置まで雄コネクター２２を挿入空間８に挿入させた状態から、雄コネクター２２をロック位置に移動させる。すなわち、雄コネクター２２を移動許容空間９に移動し、当接部１３を嵌合部９Ｂ内に嵌合させる。
【００４６】
雄コネクター２２がロック位置に配置されている状態で、電極端子１０３と電極端子２５とは接続されている。なお、電極端子２５は、左右方向の長さがピン端子７の直径以上に長い板状体を呈している。そのため、仮に、雄コネクター２２がロック位置から右方、すなわち挿入空間８側に移動した場合にも、電極端子１０３と電極端子２５との接続状態が保たれ易い。
【００４７】
なお。雌コネクター２１も、図６に示す雌コネクター２と同様に、下側筐体１０１Ａと下側部材２１Ａとを一体成型にて形成すると共に、上側筐体１０１Ｂと上側部材２１Ｂとを一体成型にて形成してもよい。また、雌コネクター２１は、下側部材２１Ａと上側部材２１Ｂとの２部材で構成する他、１部材で構成してもよい。
【００４８】
（第３の実施の形態）
図９を参照しながら、本発明の第３の実施の形態に係るコネクター３０の構成について説明する。上述の第１の実施の形態に係るコネクター１と同様な構成部分については同一の符号を付し、その説明を省略または簡略化する。図９は、コネクター３０を斜め後方から観た斜視図である。コネクター３０は、雌コネクター３１および雄コネクター３２を有する。
【００４９】
第１の実施の形態に係るコネクター１のピン端子７は、壁部１１を貫通し、雄コネクター３の挿入方向に沿って配置され、嵌合空間５内に突出している。また、コネクター１のピン端子挿入孔１４は、雄コネクター３の前面３Ａに形成されている。そして、雄コネクター３の挿入空間８への挿入時に、ピン端子７がピン端子挿入孔１４に挿入される。
【００５０】
これに対し、コネクター３０は、ピン端子７を、雌コネクター３１の側壁部４Ｂに貫通させ、嵌合空間５内に突出させている。そして、ピン端子７は、長手方向を、雄コネクター３２を挿入空間８から移動許容空間９に移動させる方向、すなわち左右に沿って配置されている。また、雄コネクター３２の左側面１２Ｂには、ピン端子７が挿入される雄端子挿入孔としてピン端子挿入孔３３が形成されている。ピン端子挿入孔３３内には、ピン端子７がピン端子挿入孔３３に挿入されたときに接続する不図示の雌端子が備えられている。
【００５１】
（雌コネクター３１と雄コネクター３２との接続）
コネクター３０における雌コネクター３１と雄コネクター３２との接続について説明する。
【００５２】
先ず、雄コネクター３２の本体部１２および当接部１３が、挿入空間８Ａおよび挿入空間８Ｂに嵌まるように、雄コネクター３２を挿入空間８に挿入する。そして、当接部１３が嵌合部９Ｂの右側に配置されるまで、雄コネクター３２が挿入空間８に挿入させた状態から、雄コネクター３２をロック位置に移動させる。すなわち、雄コネクター３２を移動許容空間９に移動し、当接部１３を嵌合部９Ｂ内に嵌合させる。
【００５３】
ピン端子７のピン端子挿入孔３３内への挿入は、雄コネクター３２を移動許容空間９に移動させる際に行われる。雄コネクター３２がロック位置に配置されている状態で、ピン端子７とピン端子挿入孔３３内に備えられる雌端子（不図示）とは接続されている。
【００５４】
なお、雌コネクター３１は、図１０に示すように、挿入空間８Ａおよび嵌合部９Ａが形成される下側部材３１Ａと、挿入空間８Ｂおよび嵌合部９Ｂが形成される上側部材３１Ｂとの２部材から構成してもよい。下側部材３１Ａの側壁部４Ｂには、ピン端子７を貫通させるピン端子挿通孔３４が形成される。雌コネクター３１を下側部材３１Ａと上側部材３１Ｂとの２部材で構成することで、雌コネクター３１は金型成形され易くなる。そのため、雌コネクター３１の製造が容易になる。
【００５５】
また、雌コネクター３１も、図６に示す雌コネクター２と同様に、下側筐体１０１Ａと下側部材３１Ａとを一体成型にて形成すると共に、上側筐体１０１Ｂと上側部材３１Ｂとを一体成型にて形成してもよい。
【００５６】
（第４の実施の形態）
図１１を参照しながら、本発明の第４の実施の形態に係るコネクター４０の構成について説明する。上述の第１の実施の形態に係るコネクター１と同様な構成部分については同一の符号を付し、その説明を省略または簡略化する。図１１の上段（Ａ）は、コネクター４０を斜め後方から観た斜視図である。図１１の下段（Ｂ）は、コネクター４０の雄側のコネクターである雄コネクター４２を斜め前方から観た斜視図である。
【００５７】
第１の実施の形態に係るコネクター１においては、雌コネクター２の当接部６は、嵌合部９Ａの上方に設けられている。また、雄コネクター３の当接部１３は、本体部１２の上面１２Ａから上方に突出している。
【００５８】
これに対し、コネクター４０においては、雌コネクター４１の当接部４３は、嵌合部９Ａの左側に設けられている。つまり、雌コネクター４１の当接部４３は、挿入空間８に挿入された状態の雄コネクター４２に対して、雄コネクター４２の挿入空間８から移動許容空間９への移動側に配置されている。また、雄コネクター４２の当接部４４は、本体部１２の左側面１２Ｂから左方に突出している。つまり、雄コネクター４２の当接部４４は、本体部１２に対して、雄コネクター４２の挿入空間８から移動許容空間９への移動側に配置されている。
【００５９】
（雌コネクター４１と雄コネクター４２との接続）
コネクター４０における雌コネクター４１と雄コネクター４２との接続について説明する。
【００６０】
先ず、雄コネクター４２の本体部１２および当接部４４を挿入空間８および嵌合部９Ａに挿入する。このとき、ピン端子７は、ピン端子挿入孔１４の左端に挿入される。当接部４４が嵌合部９Ｂの右側に配置される位置まで雄コネクター４２を挿入空間８に挿入させた状態から、雄コネクター４２を左側、すなわち移動許容空間９に移動し、当接部４４を嵌合部９Ｂ内に嵌合させる。このとき、ピン端子７は、ピン端子挿入孔１４の右端に挿入された状態となる。
【００６１】
雄コネクター４２が移動許容空間９に移動し、当接部４４が嵌合部９Ｂ内に嵌合した状態で、当接部４４の後面４４Ａと当接部４３の前面４３Ａとが対向する。したがって、雄コネクター４２が後方へ引っ張られても、当接部４４と当接部４３とが当接するため、雄コネクター４２が嵌合空間５から抜けてしまうことを防止できる。
【００６２】
一方。雄コネクター４２を挿入空間８Ａ側（右側）に移動し、当接部４４を当接部４３と当接しない位置に移動した状態で、雄コネクター４２を後方に移動すれば、雄コネクター４２を雌コネクター４１から取り外すことができる。つまり、コネクター４０は、雄コネクター４２を雌コネクター４１から取り外し可能としながら、かつ、雄コネクター４２が雌コネクター４１から外れ難くいコネクターとなっている。
【００６３】
（第５の実施の形態）
図１２を参照しながら、本発明の第５の実施の形態に係るコネクター５０の構成について説明する。上述の第１の実施の形態に係るコネクター１と同様な構成部分については同一の符号を付し、その説明を省略または簡略化する。図１２の上段（Ａ）は、コネクター５０の雌側のコネクターである雌コネクター５１を斜め後方から観た斜視図である。図１２の下段（Ｂ）は、コネクター５０の雄側のコネクターである雄コネクター５２を斜め前方から観た斜視図である。
【００６４】
第１の実施の形態に係るコネクター１は、雌コネクター２内にピン端子７を突出させ、ピン端子７を雄コネクター３に設けられるピン端子挿入孔１４内に挿入することで、雌コネクター２と雄コネクター３との電気的接続が行われる。これに対し、コネクター５０は、ピン端子７を雄コネクター５２に設けている。ピン端子７は、雄コネクター５２の前面３Ａから前方に向けて突出している。また、コネクター５０は、ピン端子７が挿入されるピン端子挿入孔１４が雌コネクター５１の前側の壁部１１に形成されている。ピン端子挿入孔１４内には、コネクター１と同様に雌端子１５が備えられている。
【００６５】
なお、上述のコネクター３０においても、ピン端子７とピン端子挿入孔３３との関係を逆にしてもよい。また、コネクター４０においても、ピン端子７とピン端子挿入孔１４との関係を逆にしてもよい。
【００６６】
（第６の実施の形態）
図１３に示すように、コネクター１は、外殻部４の嵌合空間５側の内側面のうち移動許容空間９と対向する側の４Ｃに付勢手段としての板バネ６０を設ける構成としてもよい。板バネ６０は、左方に付勢力を生じる。したがって、嵌合空間５内に雄コネクター３が挿入されたときに、板バネ６０は、雄コネクター３を移動許容空間９に向けて付勢する。これにより、ロック位置に配置された雄コネクター３が挿入空間８側に移動することを抑制でき、雄コネクター３が不用意に雌コネクター２から抜けてしまうことを防止できる。なお、付勢手段は、雄コネクター３の右側面１２Ｃに備えても良い。コネクター２０，３０，４０，５０においても、上述のコネクター１と同様に、板バネ６０を備える構成としてもよい。
【００６７】
（電気機器筐体収納カバー３００）
図１４は、電気計測器１００に電気機器筐体収納カバー３００を備えた構成を示す平面図である。図１５は、電気計測器１００を収納することができる電気機器筐体収納カバー３００の構成を示す図である。図１５の上段（Ａ）は、電気機器筐体収納カバー３００に電気計測器１００を収納する前の状態を示す斜視図である。図１５の下段（Ｂ）は、電気機器筐体収納カバー３００に電気計測器１００を収納した状態を示す斜視図である。図１４，１５は、電気計測器１００にコネクター１が備えられている例を示している。
【００６８】
電気機器筐体収納カバー３００は、側壁３０１と底部３０２とを有し、側壁３０１に囲まれる収納部３０３を有する。収納部３０３は、上方に開口部３０４を有する。電気機器筐体収納カバー３００は、収納部３０３内に電気計測器１００を収納し、電気計測器１００を外部からの衝撃から保護することができる。電気計測器１００を４方で囲む側壁３０１の一部である側壁３０１Ａは、収納部３０３内に電気計測器１００を収納したときに、筐体１０１の側面のうち、雌コネクター２が備えられる側面に対向する側壁である。つまり、側壁３０１Ａは、筐体１０１の側面のうち、雌コネクター２の嵌合空間５の開口部１０が配置される側面に重なる。
【００６９】
側壁３０１Ａには、電気計測器１００が収納された状態で、嵌合空間５の開口部１０の側に突出する（迫り出す）突出部３０５と、雌コネクター２に接続された雄コネクター３のテストリード２００が通されるリード線通過部としての切り欠け部３０６とが設けられている。つまり、開口部１０の側に突出している突出部３０５は、雌コネクター２に接続された雄コネクター３の後方に配置される。このため、雄コネクター３が雌コネクター２から抜けることを防止できる。
【００７０】
また、切り欠け部３０６が設けられているため、テストリード２００を電気機器筐体収納カバー３００から容易に電気機器筐体収納カバー３００の外側に引き出すことができる。仮に、切り欠け部３０６が設けられていない場合には、筐体１０１と側壁３０１Ａとの間から強引にテストリード２００を引き出すことが余儀なくされてしまう。
【００７１】
（実施の形態の主な効果）
上述の本実施の形態におけるコネクター１は、電極端子接続用のコネクターであり、  雌コネクター２および雄コネクター３を有する。そして、雌コネクター２は、雄コネクター３が嵌合する嵌合空間５を有する。この嵌合空間５は、雄コネクター３を嵌合空間５内に挿入させる挿入空間８を有する。また、雄コネクター３が挿入空間８に挿入される挿入方向に対して交差する方向に、挿入空間８内に挿入された雄コネクター３の移動を許容する移動許容空間を有する。雌コネクター２と雄コネクター３とは、雄コネクター３が移動許容空間９に移動された状態で、雄コネクター３の挿入方向と反対方向への移動に対して互いに当接する当接部６および当接部１３を有する。
【００７２】
上述のように構成されたコネクター１においては、雄コネクター３が移動許容空間９に移動させられた状態で、当接部１３と当接部６とが、雄コネクター３の挿入方向と反対方向への移動に対して互いに当接する。そのため、雄コネクター３が後方へ引っ張られても、当接部１３と当接部６とが当接するため、雄コネクター３が嵌合空間５から抜けてしまうことを防止できる。一方、雄コネクター３は、移動許容空間９から挿入空間８Ａ側（右側）に移動可能である。したがって、当接部１３が嵌合部９Ｂ内に嵌合している状態から雄コネクター３を挿入空間８Ａ側（右側）に移動させ、当接部１３を当接部６と当接しない位置に移動した後、雄コネクター３を後方に移動することで、雄コネクター３を雌コネクター２から取り外すことができる。つまり、コネクター１は、雄コネクター３を雌コネクター２から取り外し可能でありながら、かつ、雄コネクター３が雌コネクター２から外れ難くいコネクターとなっている。
【００７３】
コネクター２０，３０，４０，５０についても同様に、雄コネクターを雌コネクターから取り外し可能でありながら、かつ、雄コネクターが雌コネクターから外れ難くいコネクターとなっている。なお、図１２に示すように、雄端子（ピン端子７）を雄コネクター５０側に設け、雌端子１５を雌コネクター５３側に設けるピン端子挿入孔１４内に配置する構成としても良い。
【００７４】
コネクター１の雌コネクター２には、雄コネクター３の挿入空間８への挿入方向に沿って延設される（長手方向を雄コネクター３の挿入方向に沿わせて配置されている）雄端子としてのピン端子７が備えられる。また、コネクター１の雄コネクター３には、雌端子１５が備えられる。この雌端子１５は、ピン端子７が挿入される雄端子挿入孔としてのピン端子挿入孔１４内に配置される。ピン端子挿入孔１４は、挿入空間８に挿入された雄コネクター３の移動許容空間９への移動方向に向かって長い長孔である。そして、雌端子１５は、雄コネクター３を当接部１３と当接部６とが当接する位置に配置させたときにピン端子７と接続する位置から挿入空間８の側に向かって延設されている。雌端子１５は、ピン端子挿入孔１４の長さ方向（左右方向）に少なくともピン端子７の直径以上の長さを有する板状体を呈している。
【００７５】
上述のようにコネクター１を構成することで、雄コネクター３がロック位置から右方、すなわち挿入空間８側に移動した状態であってもピン端子７との接触状態を保ち易い。
【００７６】
ピン端子挿入孔１４内に雌端子１５を備えるコネクター４０，５０においても同様に、雄コネクター４２，５２がロック位置から右方、すなわち挿入空間８側に移動した状態であってもピン端子７との接触状態が保たれる。
【００７７】
雌端子１５には、ピン端子挿入孔１４に挿入されたピン端子７が嵌合する溝部１６が形成されている。雌端子１５に形成される溝部１６にピン端子７が嵌合することで、雄コネクター３が挿入空間８側に移動し難くなる。
【００７８】
コネクター３０の雌コネクター３１には、雄端子としてのピン端子７が備えられる。ピン端子７は、長手方向を雄コネクター３２を挿入空間８から移動許容空間９へ移動させる方向に沿わせて嵌合空間５内に突出している。また、雄コネクター３２には、図示外の雌端子が備えられる雄端子挿入孔としてのピン端子挿入孔３３が形成されている。雌端子１５は雄端子挿入孔としてのピン端子挿入孔１４内に配置されている。
【００７９】
上述のようにコネクター３０を構成した場合には、ピン端子７をピン端子挿入孔３３に抜き差しする際に、ピン端子７が、ピン端子挿入孔３３内に備えられる雌端子に対してピン端子７の長手方向に摺動する。そのため、コネクター３０の着脱に伴う端子同士の摩耗の発生を抑えることができる。なお、コネクター３０は、雌コネクター３１側に雌端子が備えられるピン端子挿入孔３３を設け、雄コネクター３２側にピン端子７を備える構成としてもよい。
【００８０】
図２から図６に示すコネクター１においては、雄端子としてのピン端子７は、雌コネクター２の嵌合空間５内に備えられ、雌端子１５は雄コネクター３のピン端子挿入孔１４内に備えられている。つまり、端子がコネクター１の外側に露出していない。そのため、端子を外部からの衝撃から保護することができる。また、各端子がコネクター１から露出していないため、端子を保護する部材を別途備える必要がなく、コネクター１の小型化を図ることができる。
【００８１】
なお、図８に示すコネクター２０においても同様に、電極端子１０３は、雌コネクター２１内に配置され、また、電極端子２５も雄コネクター２２内に配置されている。図９、１０に示すコネクター３０においても同様に、ピン端子７は、雌コネクター３１内に配置され、また、不図示の雌端子もピン端子挿入孔３３内に配置されることで雄コネクター３２内に配置されている。図１１に示すコネクター４０においても同様に、ピン端子７は、雌コネクター４１内に配置され、雌端子１５は雄コネクター４２内に配置されている。
【００８２】
図８に示すコネクター２０の雌コネクター２１には、この雌コネクター２１の外側から嵌合空間５内に基板１０２を配置させることができる開口部２３が形成されている。また、雄コネクター２２には、この雄コネクター２２が嵌合空間５内に配置されたときに基板１０２が挿入される基板挿入凹部２４が形成されている。基板挿入凹部２４には、雄コネクター２２が、雌コネクター２１と当接部１３と当接部６とにおいて当接する位置に配置された状態で、基板１０２に設けられる電極端子１０３に接続する電極端子２５が設けられている。
【００８３】
上述のようにコネクター２０を構成した場合には、基板１０２に設けられる電極端子１０３を電極端子２５と接続する端子として利用できる。そのため、他の実施の形態のようにピン端子７を備える必要がなく、部品点数の削減を図ることができる。
【００８４】
図１１に示すコネクター４０の当接部４４および当接部４３は、挿入空間８に挿入された雄コネクター４２に対して、雄コネクター４２を挿入空間８から移動許容空間９に移動させる側に配置している。すなわち、当接部４４が雄コネクター４２の挿入空間８から移動許容空間９への移動方向に配置され、また、当接部４３も雄コネクター４２の挿入空間８から移動許容空間９への移動方向に配置されている。
【００８５】
上述のようにコネクター４０を構成した場合には、たとえば、コネクター１のように、雌コネクター２の当接部６が嵌合部９Ａの上方に設けられ、また、雄コネクター３の当接部１３が本体部１２の上面１２Ａから上方に突出している場合に比べて、上下方向の大きさを小さくすることができる。
【００８６】
図６に示すように、コネクター１の雌コネクター２は、電気計測器１００の筐体１０１と一体成型にて形成された構成としてもよい。また、コネクター２０の雌コネクター２１、コネクター３０の雌コネクター３１、コネクター４０の雌コネクター４１およびコネクター５０の雌コネクター５１についても、上下に２分割の構成とし、筐体１０１の下側筐体１０１Ａと上側筐体１０１Ｂと一体成型にて形成された構成としてもよい。
【００８７】
図１３に示すように、コネクター１は、挿入空間８内に挿入された雄コネクター３を移動許容空間９に向けて付勢する付勢手段としての板バネ６０を備える構成としてもよい。コネクター１をこのように構成した場合には、嵌合空間５内に雄コネクター３が挿入されたときに、板バネ６０が、雄コネクター３を移動許容空間９に向けて付勢する。このため、ロック位置に配置された雄コネクター３が挿入空間８側に移動することを抑制でき、雄コネクター３が不用意に雌コネクター２から抜けてしまうことを防止できる。付勢手段は、板バネ６０に限らない。たとえば、コイルスプリングにより左方に付勢される付勢板により、雄コネクター３を左方に付勢する構成としてもよい。
【００８８】
電気機器の一例である電気計測器１００に、雌コネクター２（２１，３１，４１，５１）を備えることで、雄コネクター３（２２，３２，４２，５２）を備えるテストリード２００を電気計測器１００に接続することができる。つまり、雌コネクター２（２１，３１，４１，５１）を備える電気計測器１００は、テストリード２００を取り外し可能としながらも、テストリード２００が電気計測器１００から外れ難くいものとなる。
【００８９】
電気計測器１００は、図１４，１５に示す電気機器筐体収納カバー３００を備える構成としてもよい。
【００９０】
図１４，１５に示す電気機器筐体収納カバー３００は、収納部３０３に電気機器としての電気計測器１００を収納することができる。側壁３０１の側壁３０１Ａは、電気計測器１００を収納部３０３に収納したときに、電気計測器１００に備えられる雌コネクター２の挿入空間８の開口部１０が配置される筐体１０１の側面に重なる。この側壁３０１Ａは、開口部１０側に突出する突出部３０５と、切り欠け部３０６とを有する。突出部３０５が、開口部１０の側に突出し、雌コネクター２に接続された雄コネクター３の後方に配置されることで、雄コネクター３が雌コネクター２から抜けることを防止できる。また、切り欠け部３０６が設けられていることで、テストリード２００を電気機器筐体収納カバー３００から容易に電気機器筐体収納カバー３００の外側に引き出すことができる。
【００９１】
なお、図１４，１５には、電気計測器１００にコネクター１を備えた例を示したが、他のコネクター２０，３０，４０，５０を備えた場合も、電気機器筐体収納カバー３００内に電気計測器１００を収納することで、雄コネクター雌コネクターから抜けることを防止できる。
【符号の説明】
【００９２】
１，２０，３０，４０，５０  …  コネクター
２，２１，３１，４１，５１  …  雌コネクター
３，２２，３２，４２，５２  …  雄コネクター
５  …  嵌合空間
６，１３  …  当接部
８  …  挿入空間
９  …  移動許容空間
１０  …  開口部
１４，３３  …  ピン端子挿入孔（雄端子挿入孔）
１５  …  雌端子
１６  …  溝部
２３  …  開口部
２４  …  基板挿入凹部
２５  …  電極端子
４３，４４  …  当接部
６０  …  板バネ（付勢手段）
１００  …  電気計測器（電気機器）
１０１  …  筐体
１０２  …  基板
１０３  …  電極端子
２００  …  テストリード（リード線）
３００  …  電気機器筐体収納カバー
３０１  …  側壁
３０１Ａ  …  側壁
３０５  …  突出部
３０６  …  切り欠け部（リード線通過部）
【図１】
0006568369.tif 000002
【図２】
0006568369.tif 000003
【図３】
0006568369.tif 000004
【図４】
0006568369.tif 000005
【図５】
0006568369.tif 000006
【図６】
0006568369.tif 000007
【図７】
0006568369.tif 000008
【図８】
0006568369.tif 000009
【図９】
0006568369.tif 000010
【図１０】
0006568369.tif 000011
【図１１】
0006568369.tif 000012
【図１２】
0006568369.tif 000013
【図１３】
0006568369.tif 000014
【図１４】
0006568369.tif 000015
【図１５】
0006568369.tif 000016